(57)【要約】【課題】浴室用収納棚に別途補強リブを設けたりすることなく、強度を高め、全体として深さを浅くすることも可能であり、浴室用収納棚の意匠性も高める。【解決手段】浴室用収納棚は、浴室壁４６に固定されて物品を載置するものであり、棚壁部形成部材２と、棚底部４０及び浴室壁固定部４１を一体的に備えた棚支持部材３と、から構成され、棚壁部形成部材２には略水平面状の溝１４、１８から成る保持部が形成されており、保持部に棚底部４０をスライドして載置させることで、棚壁部形成部材２と棚支持部材３を嵌合し、棚支持部材３の棚底部４０と棚壁部形成部材２とで、物品の収納部が形成される。【選択図】図５
2015119855.tif 000002
【特許請求の範囲】
【請求項１】
浴室壁に固定されて物品を載置する浴室用収納棚において、浴室用収納棚は、棚壁部形成部材と、棚底部及び浴室壁固定部を一体的に備えた棚支持部材と、から構成され、棚支持部材の棚底部と棚壁部形成部材とで収納部が形成されることを特徴とする浴室用収納棚。
【請求項２】
請求項１に記載の浴室用収納棚において、棚支持部材と棚壁部形成部材が嵌合していることを特徴とする浴室用収納棚。
【請求項３】
請求項２に記載の浴室用収納棚において、棚壁部形成部材には略水平面状の保持部が形成され、保持部に棚底部をスライドして載置させることで、棚壁部形成部材と棚支持部材を嵌合することを特徴とする浴室用収納棚。
【請求項４】
請求項３に記載の浴室用収納棚において、棚壁部形成部材の浴室壁側の壁部を除いた他の壁部に形成された保持部は、壁部の内側垂直面に溝状に形成されていることを特徴とする浴室用収納棚。
【請求項５】
請求項３又は４に記載の浴室用収納棚において、棚壁部形成部材の保持部には棚支持部材固定用孔が設けられていることを特徴とする浴室用収納棚。
【請求項６】
請求項２ないし５のいずれかに記載の浴室用収納棚において、棚壁部形成部材の浴室壁側の壁部は前面部と上面部を備え、前面部と上面部によって浴室壁固定部が覆われていることを特徴とする浴室用収納棚。
【請求項７】
請求項２ないし６のいずれかに記載の浴室用収納棚において、棚底部には水抜き用孔が設けられていることを特徴とする浴室用収納棚。
【発明の詳細な説明】
【技術分野】
【０００１】
本発明は、浴室用収納棚に関するものである。
【背景技術】
【０００２】
浴室の壁に固定して使用する収納棚は、その底壁は収納する物品の重量がかかると、凹状に撓ってしまって破損するようなことがある。従来、このようなことを防止するための対策として、収納棚に補強リブを設けて、強度を高めている。
【０００３】
このように収納棚に補強リブを設けた構成の従来例として、図６（ａ）、（ｂ）に、具体的な構成例を示す。この従来例の収納棚５１は、枠部５２と底部５３を備えている。枠部５２の後側の枠５５に設けたフック受け５６を、浴室等の壁に固定されたフックに掛けることで、収納棚５１を浴室等の壁に固定する。
【０００４】
この枠部５２の後側の枠５５の下部に、その横幅方向に延び、かつ下方突き出るような補強リブ５７が一体に形成されている。このような補強リブ５７を設けたことにより、収納棚５１の強度が高められる。また、収納棚の意匠性を高めるために、収納棚の深さを浅くするということが知られている。
【０００５】
ところで、従来、壁面に棚固定部を設け、この固定部にスライド嵌合された収納棚は知られている。例えば、フラッシュ構造から成る棚板の芯材の後端に挿入孔を穿設しこの挿入孔に、或いは芯材間に、壁面に設けた棚受体の支持棒を挿着して、棚板を保持する構成は知られている（特許文献１及び特許文献２参照）。  
【先行技術文献】
【特許文献】
【０００６】
【特許文献１】特開平０５−１１２号公報
【特許文献２】特開平０５−１１３号公報
【発明の概要】
【発明が解決しようとする課題】
【０００７】
上記図６に示す従来例の収納棚５１のように、補強リブ５７を設けると、強度は高められるが、補強リブ５７が使用者の目に触れるので、意匠性を損なうという問題がある。また、収納棚の深さを浅くすると、意匠性は高められるが、収納棚の枠の上下方向の寸法が小さくなるので、全体として強度が低下するという問題がある。上記特許文献１及び特許文献２に記載されているような構成では、棚板をフラッシュ構造とするので、棚板自体が厚くなり、しかも複雑な構成となってしまう。
【０００８】
本発明は、収納棚に補強リブを設ける構成、深さを浅くする構成等の従来技術において生じる問題を解決することを目的とするものであり、意匠性を損なうことなく、収納棚の強度を高める収納棚を実現することを課題とする。
【課題を解決するための手段】
【０００９】
本発明は上記課題を解決するために、浴室壁に固定されて物品を載置する浴室用収納棚において、浴室用収納棚は、棚壁部形成部材と、棚底部及び浴室壁固定部を一体的に備えた棚支持部材と、から構成され、棚支持部材の棚底部と棚壁部形成部材とで収納部が形成されることを特徴とする浴室用収納棚を提供する。
【００１０】
棚支持部材と棚壁部形成部材が嵌合していることが好ましい。
【００１１】
棚壁部形成部材には略水平面状の保持部が形成され、保持部に棚底部をスライドして載置させることで、棚壁部形成部材と棚支持部材を嵌合することが好ましい。
【００１２】
棚壁部形成部材の浴室壁側の壁部を除いた他の壁部に形成された保持部は、壁部の内側垂直面に溝状に形成されていることが好ましい。
【００１３】
棚壁部形成部材の保持部には棚支持部材固定用孔が設けられていることが好ましい。
【００１４】
棚壁部形成部材の浴室壁側の壁部は前面部と上面部を備え、前面部と上面部によって浴室壁固定部が覆われているが好ましい。
【００１５】
棚底部には水抜き用孔が設けられていることが好ましい。
【発明の効果】
【００１６】
本発明は、浴室用収納棚の棚支持部材を、棚底部と浴室壁固定部とから成る構成としたので、棚底部が浴室用収納棚の底面として機能するとともに、浴室壁固定部が補強リブとして機能し棚支持部材の強度を高める、という相乗的な効果が生じる。このため、浴室用収納棚に別途補強リブを設けたりする必要がなく、また全体として深さを浅くすることも可能であり、浴室用収納棚の意匠性も高めることができる。
【図面の簡単な説明】
【００１７】
【図１】本発明に係る浴室用収納棚の実施例の全体構成を示す図であり、（ａ）は前方上方から見た斜視図であり、（ｂ）は後方上方から見た斜視図である。
【図２】（ａ）及び（ｂ）は、それぞれ上記実施例の浴室用収納棚を示す組み立てる前の棚支持部材及び棚壁部形成部材を示す斜視図である。（ｃ）は棚支持部材を浴室壁に固定した状態を示す断面である。
【図３】上記実施例の棚壁部形成部材を説明する図であり、（ａ）は全体構成を示す斜視図であり、（ｂ）は（ａ）においてＢ−Ｂ方向に見た断面斜視図であり、（ｃ）は（ａ）において後方から（矢印Ｃ方向に）見た図（背面図）である。
【図４】実施例の棚壁部形成部材を説明する図であり、（ａ）及び（ｂ）は図３（ａ）のＡ−Ａ断面斜視図及びＡ−Ａ断面図である。
【図５】実施例の浴室用収納棚を説明する図であり、（ａ）及び（ｂ）は図１（ａ）のＡ−Ａ断面斜視図及び浴室壁に固定した状態を示すＡ−Ａ断面図であり、（ｃ）は図１（ａ）のＢ−Ｂ断面斜視図である。
【図６】浴室用収納棚の従来例を示す斜視図であり、（ａ）は斜め後方から見た図であり、（ｂ）は斜め前方から見た図である。
【発明を実施するための形態】
【００１８】
本発明に係る浴室用収納棚を実施するための形態を実施例に基づき図面を参照して、以下説明する。以下の説明では、浴室壁に固定して使用する浴室用収納棚の手前側を前側とし、壁側を後側とし、壁に向かって左右を左右側とする。
【実施例】
【００１９】
本発明に係る浴室用収納棚の実施例を図１〜５において利用する。図１（ａ）、（ｂ）は、浴室用収納棚１の全体構成を示す図である。浴室用収納棚１は、平面視で全体的には矩形であり、図２（ｂ）に示す棚壁部形成部材２と、図２（ａ）に示す棚支持部材３と、を備えている。浴室用収納棚１は、棚壁部形成部材２に、棚支持部材３を相対的に差し込むことによって組み立てられる。
【００２０】
まず、棚壁部形成部材２と棚支持部材３ついて、それぞれ構成を説明する。棚壁部形成部材２は、例えば、樹脂、金属、木材等の材料から形成され、図２（ｂ）、図３（ａ）に示すように、左右の側壁６、前壁７及び後壁８を備えている。
【００２１】
側壁６は、図３（ａ）、（ｂ）に示すように、その長手方向に対して直交する垂直の断面は、略Ｌ字型であり、下端の内側垂直面１０から棚壁部形成部材２の内側に張り出したフランジ１１を有する。側壁６の内側垂直面１０には、フランジ１１の上面１３に沿って長手方向に延びる溝１４が形成されている。溝１４は、棚壁部形成部材２が水平な状態にある時、略水平に形成されている。
【００２２】
前壁７は、図３（ａ）〜（ｃ）、図４（ａ）に示すように、その下部の内側垂直面１７に長手方向に延びる溝１８が形成されている。この前壁７の溝１８は、側壁６の溝１４と同じ高さで互いに左右の角部１９で連通するように形成されている。溝１８は、棚壁部形成部材２が水平な状態にある時、溝１４と同様に、略水平に形成されている。
【００２３】
棚壁部形成部材２の側壁６の溝１４と前壁７の溝１８は、後記する棚支持部材３の棚底部４０を保持する保持部として機能する。即ち、側壁６の溝１４と前壁７の溝１８に、棚底部４０をスライドして載置させることで、棚壁部形成部材２と棚支持部材３を嵌合し、浴室用収納棚１を組み立てることが可能となる。そして、棚底部４０と棚壁部形成部材２とで、浴室用収納棚１の収納部が形成される。
【００２４】
後壁８は、棚壁部形成部材２の「浴室壁側の壁部」に相当するものであり（なお、側壁６及び前壁７は「浴室壁側の壁部を除いた他の壁部」に相当する。）、図３（ａ）、（ｃ）、図４（ａ）、（ｂ）に示すように、上面部２２、前面部２３及び左右の側面部２４から一体に形成されている。
【００２５】
後壁８の長手方向に直交する垂直な断面は、上面部２２と前面部２３によって略Γ字型に形成されており、上面部２２の下方であって前面部２３の後方には、図４（ａ）、（ｂ）に示すように、スペース２５が形成されている。
【００２６】
後壁８の上面部２２の上面は、図３（ａ）、（ｃ）、図４（ａ）、（ｂ）に示すように、側壁６の上面と同じ高さで連続して形成されており、後壁８の前面部２３の下面３０は、側壁６の溝１４の上面３１と略同じ高さ（図４（ｂ）参照）に形成されている。
【００２７】
左右の側面部２４は、それぞれ図３（ａ）、（ｃ）に示すように、後方から見て側壁３４と底壁３５からＬ字型に一体に形成され、上面部２２及び前面部２３に連成している。底壁３５は、図４（ｂ）に示すように、側壁６のフランジ１１と連続している。
【００２８】
後壁８の前面部２３と側面部２４の底壁３５の間には、図３（ｃ）、図４（ｂ）に示すように、側壁６の溝１４の縦寸法と同じ縦寸法を有する隙間３６が形成されている。底壁３５は、側壁６の溝１４と前壁７の溝１８とともに、棚底部４０を保持する保持部として機能する。底壁３５には、図５（ｂ）に示すように、止めねじ３７を螺入する雌ねじの形成された棚支持部材固定用孔（ネジ孔）３８が形成されている。
【００２９】
棚支持部材３は、図２（ａ）に示すように、棚底部４０と浴室壁固定部４１から一体に形成されている。棚支持部材３の材料は、十分な強度を有する材料であれば、金属、樹脂、木材等、いずれの材料でもよい。強度及び加工性を考慮すると、材料としては、ステンレス等の金属材を使用することが好ましく、その場合は、例えば、板金加工等によって製造すればよい。
【００３０】
棚底部４０は、平板状に形成され、浴室用収納棚１の底を構成するものである。棚底部４０の横幅は、その左右側端部が左右の側壁６の溝１４内に嵌合され保持される程度の寸法である。棚底部４０の前後方向の幅（奥行き）は、その前端部が前壁７の溝１８内に嵌合された状態で、その後端がほぼ後壁８の前面部２２の後面と面一となる程度の寸法である。
【００３１】
浴室壁固定部４１は、図２（ａ）に示すように、棚底部４０の後端から上方垂直に向けて延びる垂直部４４と、垂直部４４の上端が後方水平に向けて折り返されるようにして延びる水平部４５とから構成され、その長手方向に垂直な断面はＬ字型をしている。浴室壁固定部４１の垂直部４４と水平部４５の寸法は、棚底部４０を棚壁部形成部材２内に差し込んで嵌合した際に、浴室壁固定部４１がスペース２５内に丁度収まるような大きさとする。                       
【００３２】
浴室壁固定部４１の垂直部４４には、図２（ｃ）、図５（ｂ）に示すように、浴室壁４６に固定するためにビス４７を挿通するための通し孔４８が形成されている。棚底部４０には、水抜き用孔４２が、適宜に配置されて形成されている。
【００３３】
（組立、作用）
浴室用収納棚１を構成する棚壁部形成部材２と棚支持部材３は、それぞれ上記のとおりの構成であるが、棚支持部材３を棚壁部形成部材２に相対的に差し込んで嵌合し、浴室用収納棚１を組み立てる工程、及び組み立てられた浴室用収納棚１の構成、作用効果等について、以下説明する。
【００３４】
浴室用収納棚１を組み立てるには、まず、浴室用収納棚１を取り付ける浴室壁４６に、棚支持部材３を全体的に水平に固定する。このために、浴室壁固定部４１に形成されたビス通し孔４８にビス４７を挿通して、ビス４７を浴室壁４６にねじ込んで、図２（ｃ）に示すように、棚支持部材３を浴室壁４６に略水平に固定する。
【００３５】
浴室壁４６に固定された棚支持部材３に対して、棚壁部形成部材２をその後壁８側から略水平な姿勢で近づけていき、棚底部４０をその前端部側から、棚壁部形成部材２の後壁８の前面部２３と側面部２４の底壁３５の間の隙間３６に相対的に挿入する。
【００３６】
そして、棚壁部形成部材２を浴室壁４６に向かって後方に押し込み、棚底部４０の左右側端部を側壁６の溝１４内に嵌合する。さらに、棚底部４０を、底壁３５及びフランジ１１の上面上を滑らせて案内しながら相対的に差し込んでいき、図５（ａ）〜（ｃ）に示すように、棚底部４０の前端部を前壁７の溝１８内に嵌合させる。
【００３７】
この状態で、浴室壁固定部４１は、図５（ａ）、（ｂ）に示すように、棚壁部形成部材２の前壁７における上面部２２の下方であって前面部２３の後方に形成されているスペース２５に、丁度、嵌め込まれ、前面部２３と上面部２２に覆われた状態となる。
【００３８】
そして、棚壁部形成部材２の後壁８の左右の底壁３５に形成された棚支持部材固定用孔（ネジ孔）３８に、止めネジ３７を螺入し、図５（ｂ）に示すように、ネジ３７の先端を棚底部４０の下面に圧接させる。これによって、棚壁部形成部材２は棚底部４０に係止されるので、棚底部４０から抜け出て落下するようなことがなくなる。
【００３９】
以上の組立工程を通して、棚支持部材３を棚壁部形成部材２に相対的に差し込んで浴室用収納棚１を組み立てると、図１（ａ）、（ｂ）に示すような浴室用収納棚１が、図５（ｂ）に示すように、浴室壁４６に略水平に固定された状態で形成される。
【００４０】
以上の構成から成る浴室用収納棚１において、棚支持部材３の構成は、本発明の特徴的な新規な構成である。即ち、棚支持部材３は、棚底部４０と浴室壁固定部４１とから成るので、浴室用収納棚１の底を構成するとともに、浴室壁固定部４１が補強リブとして機能し、浴室用収納棚１の強度を高めるという相乗的な効果が生じる。
【００４１】
特に、棚底部４０の強度を高めることが可能となる。即ち、リブで補強されておらず強度がない従来の浴室用収納棚では、強度が小さく、浴室用収納棚に物品を載せると、浴室用収納棚の底面部が下方に撓んだりし、破損し易いという問題があった。しかしながら、本発明の浴室用収納棚１では、断面Ｌ字型の浴室壁固定部４１が補強用のリブとして機能し、棚底部４０を含めて棚支持部材３の全体の強度を高めることができる。
【００４２】
棚底部４０のうち、浴室壁固定部４１に近い側の領域は補強用のリブとして機能する浴室壁固定部４１によって、その強度が十分高められる。棚底部４０のうち、浴室壁固定部４１に遠い側の領域は、浴室壁固定部４１によって近い側の領域ほどでなくてもその強度は高められ、しかも、棚底部４０の左右側端部及び前端部は、保持部として機能する棚壁部形成部材２の左右の側壁６の溝１４及び前壁７の溝１８内に嵌合されて保持されるので強度が高められる。
【００４３】
このように浴室壁固定部４１が補強用のリブとして機能するので、図６に示す従来例のように、別途リブを設ける必要がなくなり、また深さを浅くすることもできるので、浴室用収納棚１の意匠性を向上させることが可能となる。
【００４４】
ところで、浴室用収納棚１の棚底部４０の外周端面が露出していると、特に棚底部４０が金属製の場合は、使用者の手に触れた際に怪我をする原因となる。しかし、本発明の浴室用収納棚１においては、棚底部４０の左右側端部及び前端部は、左右の側壁６の溝１４及び前壁７の溝１８に嵌合されているので、露出することがない。従って、使用者は、棚底部４０の外周端面によって怪我したりすることが防止できる。
【００４５】
棚底部４０には、水抜き用孔４２が形成されているので溜まった水は排水される。なお、棚底部４０に溜まった水は、棚底部４０と、左右の側壁６の溝１４及び前壁７の溝１８との隙間から漏れ出て排水することもあるので、上記水抜き用孔４２は、必要に応じて形成すればよい。
【００４６】
以上、本発明に係る浴室用収納棚を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４７】
本発明に係る浴室用収納棚は上記のような構成であるから、浴室壁に固定して使用する浴室用収納棚のみに限らず、他の部屋等の壁に固定して使用する収納棚に適用可能である。
【符号の説明】
【００４８】
１  浴室用収納棚                                   
２  棚壁部形成部材                                     
３  棚支持部材                                           
６  棚壁部形成部材の左右の側壁                         
７  棚壁部形成部材の前壁                               
８  棚壁部形成部材の後壁（浴室壁側の壁部）                               
１０  側壁の内側垂直面                               
１１  側壁のフランジ                                   
１３  フランジの上面                               
１４  側壁の溝                                     
１７  前壁の内側垂直面                                  
１８  前壁の溝                                     
１９  棚壁部形成部材の溝の角部                       
２２  棚壁部形成部材の後壁の上面部                       
２３  棚壁部形成部材の後壁の前面部                      
２４  棚壁部形成部材の後壁の左右の側面部                 
２５  棚壁部形成部材の後壁のスペース                 
３０  棚壁部形成部材の後壁の前面部の下面                 
３１  側壁の溝の上面                               
３４  棚壁部形成部材の後壁の左右の側面部の側壁                       
３５  棚壁部形成部材の後壁の左右の側面部の底壁                       
３６  棚壁部形成部材の後壁の上面部と側面部の底壁の間の隙間             
３７  止めネジ                                     
３８  棚支持部材固定用孔（ネジ孔）                                       
４０  棚支持部材の棚底部                           
４１  棚支持部材の浴室壁固定部                               
４２  水抜き用孔                                     
４４  浴室用壁固定部の垂直部                             
４５  浴室用壁固定部の水平部                             
４６  浴室壁                                     
４７  浴室用壁固定部を浴室等の壁に固定するビス             
４８  ビスの通し孔
５１  収納棚
５２  収納棚の枠部
５３  収納棚の底部
５５  収納棚の枠部の後側の枠
５６  フック受け
５７  補強リブ
【図１】
2015119855.tif 000003
【図２】
2015119855.tif 000004
【図３】
2015119855.tif 000005
【図４】
2015119855.tif 000006
【図５】
2015119855.tif 000007
【図６】
2015119855.tif 000008